【手続補正書】
【提出日】平成26年5月30日(2014.5.30)
【手続補正１】
【補正対象書類名】明細書
【補正対象項目名】発明の名称
【補正方法】変更
【補正の内容】
【発明の名称】画像処理装置、画像処理装置の制御方法及び画像処理装置のコンピュータに実行させるためのプログラム
【手続補正２】
【補正対象書類名】明細書
【補正対象項目名】０００１
【補正方法】変更
【補正の内容】
【０００１】
本発明は、画像を読み取る画像処理装置、画像処理装置の制御方法及び画像処理装置のコンピュータに実行させるためのプログラムに関するものである。
【手続補正３】
【補正対象書類名】明細書
【補正対象項目名】０００５
【補正方法】変更
【補正の内容】
【０００５】
本発明に係る画像処理装置は、第一の位置に置かれた原稿を第二の位置を通過するよう搬送する搬送手段と、前記第二の位置、又は第三の位置で画像を読み取り、画像データを生成する読み取り手段と、前記第一の位置に原稿が置かれているかを判定する第１の判定手段と、前記第一の位置に原稿が置かれていると前記第１の判定手段で判定した場合に前記第二の位置で画像を読み取り、前記第一の位置に原稿が置かれていると前記第１の判定手段で判定しなかった場合に前記第三の位置で画像を読み取るよう制御する制御手段と、前記読み取り手段によって前記第二の位置で画像を読み取って生成した画像データが特定の条件に該当するかを判定する第２の判定手段と、を有し、前記制御手段は、前記第一の位置に原稿が置かれていると前記第１の判定手段で判定し、かつ前記読み取り手段によって前記第二の位置で画像を読み取って生成した画像データが特定の条件に該当すると前記第２の判定手段で判定した場合、前記読み取り手段による画像の読み取りを中断することを特徴とする。
本発明に係る画像処理装置の制御方法は、第一の位置に置かれた原稿を第二の位置を通過するよう搬送させる搬送ステップと、前記第一の位置に原稿が置かれているかを判定する第１の判定ステップと、前記第一の位置に原稿が置かれていると前記第１の判定ステップで判定した場合に、前記第二の位置で画像を読み取り、画像データを生成する第１の読み取りステップと、前記第一の位置に原稿が置かれていると前記第１の判定ステップで判定しなかった場合に、第三の位置で画像を読み取り、画像データを生成する第２の読み取りステップと、前記第１の読み取りステップで生成した画像データが特定の条件に該当するかを判定する第２の判定ステップと、前記第一の位置に原稿が置かれていると前記第１の判定ステップで判定し、かつ前記第１の読み取りステップで生成した画像データが特定の条件に該当すると前記第２の判定ステップで判定した場合、画像の読み取りを中断させる中断ステップとを有することを特徴とする。
【手続補正４】
【補正対象書類名】特許請求の範囲
【補正対象項目名】全文
【補正方法】変更
【補正の内容】
【特許請求の範囲】
【請求項１】
画像処理装置であって、
第一の位置に置かれた原稿を第二の位置を通過するよう搬送する搬送手段と、
前記第二の位置、又は第三の位置で画像を読み取り、画像データを生成する読み取り手段と、
前記第一の位置に原稿が置かれているかを判定する第１の判定手段と、
前記第一の位置に原稿が置かれていると前記第１の判定手段で判定した場合に前記第二の位置で画像を読み取り、前記第一の位置に原稿が置かれていると前記第１の判定手段で判定しなかった場合に前記第三の位置で画像を読み取るよう制御する制御手段と、
前記読み取り手段によって前記第二の位置で画像を読み取って生成した画像データが特定の条件に該当するかを判定する第２の判定手段と、
を有し、
前記制御手段は、前記第一の位置に原稿が置かれていると前記第１の判定手段で判定し、かつ前記読み取り手段によって前記第二の位置で画像を読み取って生成した画像データが特定の条件に該当すると前記第２の判定手段で判定した場合、前記読み取り手段による画像の読み取りを中断することを特徴とする画像処理装置。
【請求項２】
前記特定の条件とは、ユーザが意図しない画像を特定する条件であることを特徴とする請求項１に記載の画像処理装置。
【請求項３】
前記特定の条件とは、前記画像データの画素のうち第一の閾値より大きい濃度を有する画素の割合が第二の閾値より大きいことを特徴とする請求項１または２に記載の画像処理装置。
【請求項４】
画像の読み取りを中断したことを示すメッセージを表示する表示手段を更に有することを特徴とする請求項１乃至３のいずれか１項に記載の画像処理装置。
【請求項５】
前記第一の位置に原稿が置かれていると前記第１の判定手段で判定し、前記読み取り手段によって前記第二の位置で画像を読み取って生成した画像データが前記特定の条件に該当しないと前記第２の判定手段で判定し、かつ前記第一の位置に次の原稿が置かれていると前記第１の判定手段で判定した場合、前記読み取り手段は、前記次の原稿の画像を読み取ることを特徴とする請求項１乃至４のいずれか１項に記載の画像処理装置。
【請求項６】
前記読み取り手段で生成した画像データに基づいて画像を印刷する印刷手段を有し、
前記制御手段は、前記第一の位置に原稿が置かれていると前記第１の判定手段で判定し、かつ前記読み取り手段によって前記第二の位置で画像を読み取って生成した画像データが特定の条件に該当すると前記第２の判定手段で判定した場合、前記印刷手段による画像の印刷を中断することを特徴とする請求項１乃至５のいずれか１項に記載の画像処理装置。
【請求項７】
前記制御手段は、前記第一の位置に原稿が置かれていると前記第１の判定手段で判定した場合、前記搬送手段によって原稿を搬送させて、前記読み取り手段によって前記第二の位置で画像を読み取るよう制御する
ことを特徴とする請求項１乃至６のいずれか１項に記載の画像処理装置。
【請求項８】
前記搬送手段は、前記第三の位置に原稿を固定するための圧板を更に有し、
前記圧板は、開閉可能であることを特徴とする請求項１乃至７のいずれか１項に記載の画像処理装置。
【請求項９】
前記圧板が開けられた場合に、前記搬送手段によって搬送された原稿は、前記第二の位置を通過しないことを特徴とする請求項８に記載の画像処理装置。
【請求項１０】
前記制御手段は、原稿のページの読み取りが完了した後に、前記読み取り手段による画像の読み取りを中断することを特徴とする請求項１乃至９のいずれか１項に記載の画像処理装置。
【請求項１１】
前記制御手段は、原稿のページの読み取りが完了する前に、前記読み取り手段による画像の読み取りを中断することを特徴とする請求項１乃至９のいずれか１項に記載の画像処理装置。
【請求項１２】
前記制御手段は、前記搬送手段が原稿を前記第二の位置に搬送する前に、前記読み取り手段によって前記第二の位置で画像を読み取り、
前記第２の判定手段は、前記搬送手段が原稿を前記第二の位置に搬送する前に、前記読み取り手段によって前記第二の位置で画像を読み取って生成した画像データが特定の条件に該当するかを判定することを特徴とする請求項１に記載の画像処理装置。
【請求項１３】
画像処理装置であって、
第一の位置に置かれた原稿を搬送する搬送手段と、
前記搬送手段によって前記第一の位置から搬送された原稿、又は第二の位置に置かれて、かつ前記搬送手段によって搬送されない原稿を読み取り、画像データを生成する読み取り手段と、
前記第一の位置に原稿が置かれているかを判定する第１の判定手段と、
前記第一の位置に原稿が置かれていると前記第１の判定手段で判定した場合に前記第一の位置から搬送された原稿を読み取り、前記第一の位置に原稿が置かれていると前記第１の判定手段で判定しなかった場合に前記第二の位置に置かれている原稿を読み取るよう制御する制御手段と、
前記読み取り手段で前記第一の位置から搬送された原稿を読み取って生成した画像データが特定の条件に該当するかを判定する第２の判定手段と、
を有し、
前記制御手段は、前記第一の位置に原稿が置かれていると前記第１の判定手段で判定し、かつ前記読み取り手段で前記第一の位置から搬送された原稿を読み取って生成した画像データが特定の条件に該当すると前記第２の判定手段で判定した場合、前記読み取り手段による読み取りを中断することを特徴とする画像処理装置。
【請求項１４】
読み取りを中断したことを示すメッセージを表示する表示手段を更に有することを特徴とする請求項１３に記載の画像処理装置。
【請求項１５】
前記読み取り手段で生成した画像データに基づいて画像を印刷する印刷手段を有し、
前記制御手段は、前記第一の位置に原稿が置かれていると前記第１の判定手段で判定し、かつ前記読み取り手段で前記第一の位置から搬送された原稿を読み取って生成した画像データが特定の条件に該当すると前記第２の判定手段で判定した場合、前記印刷手段による画像の印刷を中断することを特徴とする請求項１３または１４に記載の画像処理装置。
【請求項１６】
前記制御手段は、前記第一の位置に原稿が置かれていると前記第１の判定手段で判定した場合に、前記搬送手段によって原稿を搬送させて、前記読み取り手段で前記第一の位置から搬送された原稿を読み取るよう制御する
ことを特徴とする請求項１３乃至１５のいずれか１項に記載の画像処理装置。
【請求項１７】
前記搬送手段は、前記第二の位置に原稿を固定するための圧板を更に有し、
前記圧板は、開閉可能であることを特徴とする請求項１３乃至１６のいずれか１項に記載の画像処理装置。
【請求項１８】
前記第一の位置は、原稿給送トレイであることを特徴とする請求項１３乃至１７のいずれか１項に記載の画像処理装置。
【請求項１９】
前記第二の位置は、原稿台であることを特徴とする請求項１３乃至１８のいずれか１項に記載の画像処理装置。
【請求項２０】
画像処理装置の制御方法であって、
第一の位置に置かれた原稿を第二の位置を通過するよう搬送させる搬送ステップと、
前記第一の位置に原稿が置かれているかを判定する第１の判定ステップと、
前記第一の位置に原稿が置かれていると前記第１の判定ステップで判定した場合に、前記第二の位置で画像を読み取り、画像データを生成する第１の読み取りステップと、
前記第一の位置に原稿が置かれていると前記第１の判定ステップで判定しなかった場合に、第三の位置で画像を読み取り、画像データを生成する第２の読み取りステップと、
前記第１の読み取りステップで生成した画像データが特定の条件に該当するかを判定する第２の判定ステップと、
前記第一の位置に原稿が置かれていると前記第１の判定ステップで判定し、かつ前記第１の読み取りステップで生成した画像データが特定の条件に該当すると前記第２の判定ステップで判定した場合、画像の読み取りを中断させる中断ステップとを有することを特徴とする画像処理装置の制御方法。
【請求項２１】
請求項２０に記載の制御方法を、画像処理装置のコンピュータに実行させるためのプログラム。